(57)【要約】【課題】一度、商品に貼着した後は、剥がして再利用できないような、価格修正ラベルを提供する。【解決手段】裏面に設けた粘着剤で商品に貼着して使用する価格修正ラベルにおいて、該ラベルの側辺に、内側に向けて１．５−７ｍｍの長さの切り込み１ａ−１ｈを一個以上設ける。この切り込みは、ラベル本体４のバーコードを印刷した部分の側辺に設けるのが好ましい。【選択図】図１
2007292911.tif 000002
【特許請求の範囲】
【請求項１】
裏面に設けた粘着剤で商品に貼着して使用する価格修正ラベルであって、該ラベルの側辺に、内側に向けて１．５−７ｍｍの長さの切り込みが一個以上設けられていることを特徴とする価格修正ラベル。
【請求項２】
前記切り込みの少なくとも一個が、ラベルの側辺角から斜め内側に向けて設けられていることを特徴とする請求項１の価格修正ラベル。
【請求項３】
前記切り込みの少なくとも一個が、ラベルの側辺に該ラベルの下辺に平行に、横向きに設けられていることを特徴とする請求項１又は２の価格修正ラベル。
【請求項４】
前記切り込みが、前記ラベルのバーコードを印刷した部分の側辺に設けられているいることを特徴とする請求項１−３いずれか１項の価格修正ラベル。
【請求項５】
前記ラベルが上端に、ミシン目で切り取り可能な状態で帯状部を有していることを特徴とする請求項１−４いずれか１項の価格修正ラベル。
【請求項６】
前記ラベルの下方の少なくとも一側部が上部より外側に突出していることを特徴とする請求項１−７いずれか１項の価格修正ラベル。
【発明の詳細な説明】
【技術分野】
【０００１】
本発明は、一度使用したら、剥がして、他の商品にはれないようにした価格修正ラベルに関する。
【背景技術】
【０００２】
商品の価格を値下げした時に、値下げ前の価格情報を印刷したバーコードを隠して、値下げ価格を表示する価格修正ラベルは、特許文献１−２に示されるように、広く使用されている。しかし、このような価格修正ラベルを剥がして、他の商品に貼り付けて悪用する者がある。
【特許文献１】特許第３２４４４９４号公報
【特許文献２】特開２００５−１２１７２１号公報
【発明の開示】
【発明が解決しようとする課題】
【０００３】
本発明は、一度、商品に貼着した後は、剥がして再利用できないような、価格修正ラベルを提供することを課題とする。
【課題を解決するための手段】
【０００４】
本発明では、ラベルに切り込みを入れることにより、最初の使用時には、通常のラベルと同様の外観で効率よく使用できるが、ラベルを剥がす時に、ラベルに破損を生じ、再利用できないようにした。
【０００５】
すなわち、本発明のラベルは、裏面に設けた粘着剤で商品に貼着して使用する価格修正ラベルであって、該ラベルの側辺に、内側に向けて１．５−７ｍｍ（好ましくは２−６ｍｍ）の長さの切り込みが一個以上設けられていることを特徴とする。
【０００６】
前記切り込みは、ラベルの側辺角から斜め内側に向けて設けられても、側辺にラベルの下辺に平行に、横向きに設けられてもよく、これらは複数個設けられるのが好ましい。
【０００７】
かかる本発明のラベルは、一度、商品に貼り付けて使用した後、それを剥がす時には、前述のようにして設けた切り込みからラベルが裂け易く、再利用できないものとなるものであるので、前記切り込みは、ラベルのバーコードを印刷した部分の側辺に設けるのが好ましい。
【０００８】
例えば、バーコードがラベル本体の下部に印刷される場合には、切り込みを、ラベルの側辺下端から（約３０〜６０度の角度、好ましくは４５度の角度で）斜め上方に向けたものと、ラベルの側辺下端から一定位置上ったところ（例えば３−１２ｍｍ、好ましくは５−１０ｍｍの高さ）に、横向きしたものと両方を設けるのが好ましい。
【０００９】
更に、本発明では、ラベル上端に、ミシン目で切り取り可能な状態で帯状部を存在させ、ラベル使用時に、この帯状部を外し、商品の元の価格表示部分（バーコード上）に貼着し、元の価格が無効にされ、価格修正ラベルの価格に変更されたことを、より明確にできるようにしてもよい。この場合、価格修正ラベルを、元の価格表示部分と離れた位置に貼着することができるので、扱い易い。
【００１０】
また、ラベルの形状を下方の少なくとも一側部が上部より外側に突出しているようにして、ラベルの表示部を広くすると同時に、該突出部に前記切り込みを設け、一度商品に貼着したラベルを剥がす時に、ラベルの破壊をより確実なものとしてもよい。
【発明の効果】
【００１１】
本発明の価格修正ラベルは、側辺における切り込みの存在によって、一度使用したものを剥がして、再使用しようとしても、ラベルを剥がす時に、この切り込みからラベルが裂け易く、ラベルを再使用できない。特に、ラベルに印刷したバーコードの存在する箇所の側辺に切り込みを設けると、ラベルを剥がす時に、バーコード部分が破損され易く、効果的である。その結果、スーパーやコンビニなどにおいて、商品価格を値下げするために商品に一度貼った価格修正ラベルを剥がして、他の商品に貼って、あたかもその商品の価格が修正されたかのようにして購入しようとする者があったとしても、ラベルが、破損しているため、不正なものであることが明らかとなり、そのような悪質な行為を防止できるのである。
【発明を実施するための最良の形態】
【００１２】
次に、図面に示す実施例に従って、本発明を説明する。
図１に、本発明のラベルを例示する。いずれのラベルも、離型シート上に粘着剤で貼着されており、離型シートから剥がして、裏面に存在する粘着剤で商品に貼って使用するものである。
【００１３】
図１（Ａ）のラベルは、角が丸く形成されており、両側辺下方に、側辺下端から４５度の角度で斜め上方に向けて３ｍｍの長さの切り込み１ａが設けられており、更に、両側辺下端から８ｍｍ上方に下辺と平行に横向きに切り込み１ｂが設けられている。更に、上端に、ミシン目２で切り取り可能な状態で帯状部３が設けられており、この帯状部３には、「お買得価格となっております」等と印刷されており、下方のラベル本体４には、上部５に値引率、下部６にバ−コードが印刷されている。
【００１４】
帯状部３を切り取り、商品の元の価格表示部分にこれを貼り付け、元の価格が修正されていることを明らかにし、商品の他の部分にラベル本体４を貼り付けることにより、商品価格がラベルに印刷された割引率で値引きされており、ラベル本体４の下部６に設けられたバーコードで、その価格が読み取られる。
【００１５】
かかるラベルは、一度、商品に貼り付けると、それを剥がす時に、切り込み１ａ、１ｂのいずれかの位置から、ラベルが裂けて、ラベルを再使用できなくなる。特に、バーコード部分の破損が著しく、バーコードの読み取りを不能とする。
【００１６】
図１（Ｂ）のラベルは、値引率を記載した左欄７と、バーコードを印刷した右欄８が設けられており、ラベルの両側に６個の切り込み１ｃ−１ｈが設けられている。
【００１７】
図１（Ｃ）のラベルは、下方の表示部が上方の表示部より広く形成されており、下方の両側に切り込み１ａ、１ｂが設けられている。
【００１８】
図１（Ｂ）（Ｃ）のラベルにおいても、（Ａ）と同様の帯状部３を設けてもよい。なお、帯状部３の存在しないラベルは、商品の元の価格表示部分のバーコードの少なくとも一本を隠すように、元の価格表示部分の上に貼着することとなる。
【図面の簡単な説明】
【００１９】
【図１】本発明のラベルを例示する平面図である。
【符号の説明】
【００２０】
１ａ−１ｈ    切り込み
２            ミシン目
３            帯状部
４            ラベル本体
５            上部
６            下部
７            左欄
８            右欄
【図１】
2007292911.tif 000003